(57)【要約】【課題】本発明は、長年の課題を克服できるであろうこの中敷きから得る利益は膨大なもので、健康に寄与するだけでなく医療費の軽減や苦悩からの解放等のメリットは計り知れない。殊に近来、女性の職場への進出は国策でもあるが、一方で女性特有の美意識への欲求はいつの時代になっても変わることはなく、そんな背景の裏返しとも言える靴という必要不可欠であっても、足腰への負担や外反拇趾の障害は見逃す訳にはいかず、我々は人災として断罪、矛盾に立ち向かっている。本来、女性に多いパンプスやハイヒールのもつ宿命的構造から歩行時の衝撃緩和、前へずれ込み回避の問題を解決するための開発であったが、途上、それ以外の靴による障害も無視できない要因や問題を察知、それらも関連性がありひとつずつ潰して行くなかで想定外の成果も生まれ、開発範囲を拡げ靴の中の大革命が始まった。一人でも多くの靴の障害者解消が、我々だけでなく社会全体にとっても究極最大の課題ではなかろうか。【選択図】図１
2016059782.tif 000002
【特許請求の範囲】
【請求項１】
本考案は、靴による障害の発生源であると考えられる拇趾骨への衝撃やずれ込みによる血液の循環不良・それに伴う骨の変形、疲労・腰痛などの関連障害などを防ぐため、中敷の中核に使ったハニカムコア・メッシュシートに楕円の穴をあけ、障害を緩和させる技術。
【請求項２】
同時に、足の５指のうら［００２１］項（図４−２ｘ）にある指の関節［学名ＭＰ関節］の支持と擁護にマウントを設け、防波堤の機能として足のずれ込みをブロック、楕円穴に嵌り込んだ拇趾骨が足の動きを歯止め、予防役と治療役の２役で相乗効果を引き出し障害の防止・改善解消も可能にした。
但し、マウント内部に遊離空間をとり足の動きに対し順応性も可能にして、指の痺れ発生止めにも配慮している。
【請求項３】
［請求項１］及び［請求項２］の障害以外で、靴による障害といえば蒸れが起因の悪臭・水虫などの皮膚障害がある。
それらの障害を防止するため、吸湿機能を持つ汎用品の除湿シートを靴用に転用、靴の中で発生した蒸れ・発汗による水分を中敷の中核であるハニカムコア・メッシュシートの通気と透過機能を利用、除湿シートに一旦貯留させ歩きながら蒸発・乾燥できるよう用途変更で新しい機能を発生させた。
【発明の詳細な説明】
【技術分野】
【０００１】本発明は、靴を履いて行動する場合必然的に靴の中で足が前へずれ込み、足の形が半強制的に前すぼみの状態となり血液の循環を悪化させる。
これにより、親指の付け根骨に動きに伴って起こる衝撃などと一体となって、冷え・腰痛・外反母趾・疲労などの発生源になっている。【０００２】更に、発汗による水虫・悪臭・皮膚病の原因になっている高温多湿から蒸れを発生するメカニズムを究明、靴の中で吸湿と乾燥を繰り返し発汗による高温多湿の解消に多機能な素材を確保した。
その結果、靴の中の湿気を除去する方法を確立、温度上昇を抑え障害も同時に改善・解消させるための技術を実用化した。
【背景技術】
【０００３】中敷きは、現在の業界ではウレタンなどの発熱や蓄熱要素の高い発泡素材で成形したものが主流で、靴の中の高温多湿を認知されていながら形式的なもの以外、適切な対応策は提供されていない。【０００４】こうした背景の中で、女性間で特に切望されているハイヒールやパンプス禍とでもいうべき事態は我々も最大の関心事で、中敷に対する認識を早急に改め靴の持つ機能の裏にある、ねこ背・足腰痛や障害・外反母趾・冷え等の起因に対して決定的な解決策を講ずるべきある。
この措置は、健康上でも医学上でも防護策や改善策の確立は急務であろう。【０００５】［０００１］項［０００２］項を通じて、歩行時の状況の変化による衝撃から障害へ発展課程で防護するには、まず、中敷の役目の重大さを再認識すべきである。
併せて動態から発生する発汗で高温多湿に加え、外部気温の影響などで靴の中の高熱に靴を履く人全員が悩み苦しんできた。
特に、女性が冠婚葬祭時のみならずビジネス上や外出で、パンプスやハイヒールを常用するため男性の障害人口の十数倍も多く、高温多湿こそ少ないがそれでも蒸れる事と足が前へずれ込む元凶を防止しない限り、障害の諸問題を解消する事はない。
【先行技術文献】
【０００６】
【特許文献】
【特許文献】特開  ２０１３−１２８７０９  実開平  ５−４８９７６
【発明の概要】
【発明が解決しようとする課題】
【０００７】本案の課題は、靴を履いて歩行の際、足が前へのずれ込み・衝撃のため起こる痛みや血液の循環不良による［０００１］項及び［０００２］項の防止・解消・改善を目指したものである。
【課題を解決するための手段】
【０００８】［０００７］項を解決するため、靴の持つ形体の特異性から発生する足の親指の母趾骨（図１−３）に不可避の異常な重力がかかるのを緩和できるよう中敷に楕円型の穴［図１−３］とストッパー［図１−２］を設けた。
これにより、靴を履いて立った場合、従来ならば主に母趾骨だけに荷重が感じられていたが直接荷重や衝撃も軽減され、足裏全体が平面に接地して支えている構図［図２−３・４］が示現される。【０００９】この穴を楕円形にしたのは、人により母趾骨の大きさも位置も多少違うためと、行動を起こした際足の位置が前後に動くのを想定しての対応策である。
また、衝撃緩和にはハニカムコア・メッシュシート［図２−１］を本体の中核とし、ソールには除湿シート［図２−４］を採用した効果が歩行や運動しながら吸湿・乾燥を容易に実施できるようになった。【００１０】アッパー［図１−Ｐ］に厚手の綿布を配して母趾骨が宙吊り状態で骨が靴底に直接当たらないよう下から受けた姿になる。
これによって歩行の際、着地時衝撃のために起こる痛み・充血のために起こる血行不良の結果生じる疲労や骨の変形の起因とされる障害を軽減、外反母趾などの防止・解消・改善も可能になる。
【発明の効果】
【００１１】以下で説明しているように、本発明は次に列挙する効果が得られ、［請求項１］との構成要件で考案されているので男女を問わず靴の宿命である歩行の際起こる母趾骨への荷重、衝撃とずれを軽減する事が出来る。
その余波で発生すると考えられる疲労などが原因の骨の激痛を伴う異常変形を防止外反母趾や足腰痛・冷えなど確実に緩和される。
更に、実験の結果発汗や発熱からの蒸れや発臭が抑えられる事も確認されている。【００１２】前記の構成要件で［請求項２］・［請求項３］も同様の効果が得られることが判明した。【００１３】［請求項２］の構成要件であるビジネス上での悩みから開放された結果、集中力が向上目に見えない所での効果や、外反母趾患者・腰痛患者などの削減に貢献する可能性を強調したい。【００１４】［請求項３］の構成要素である事項は、共通の万人永遠の悩みとしてきた悪臭や水虫皮膚病を、歩きながら靴の中を乾燥させることで改善出来ることを説明してきた。
【産業上の利用の可能性】
【００１５】［請求項３］にもある通り靴の中の悪臭対策は業界だけでなく、消費者も含めて悪臭や雑菌対策は永遠のテーマであり、その効果が期待できる製品構成は靴業界や医療関係のみならず、靴を履いてビジネスや日常の生活の中で必要不可欠なものでありながらその障害で苦しみ悩んでいるケースが多い。
医療関係でもケアでの必要品として切望されたり看護師自身の要望も多いほか、ビジネスにパンプスやハイヒールを履く女性の職場にも、その改善や防護策の強い要望がある半面、意外に多い男性に足腰障害をもつ潜在患者への配慮も怠ってはならない。
【図面の簡単な説明】
【００１６】
【図１】この発明の全体像を示す中敷きの図である。
【図２】この発明の中敷の使用構成を、断面で拡大した図である。
【図３】この発明の実施における最良の使用形態図である。
【図４】この発明の実施形態時の、足の要所を説明した姿図である。
【符号の説明】
【００１７】Ｐ    アッパー
１    ハニカムコア・メッシュ
２    ストッパー・マウント
３    楕円穴  ３Ａ  楕円穴に収まった拇趾骨
４    吸湿機能ソール
Ｈ    貯溜池（吸湿シート）への水分透過通路
２Ｘ  指のくぼみ［学名ＭＰ関節］
３Ｘ  拇趾骨
【発明を実施するための形態】
【００１８】［図３］［００２１］項で示している通り、この発明の実施形態をパンプスで示したものであるが、靴だけに限らずスリッパなどにも形式や種類は限定されない。
【発明を実施するための形態】
【００１９】以下、本発明の実施形態を［図３］を参考に説明する。
歩行時、どんな靴であれ靴の構造上前へのずれ込みは必至で、動態による疲労が始まり経過時間に比例して極度の母趾骨への衝撃痛を発生させる。
これを防ぐために穴を設けたが、楕円形にしたのは人により母趾骨の大きさや位置が多少違う事、ずれ込みの際足が前後に動く事を想定しての対応策である。
また、ストッパー・マウントは中敷きの内部で動くよう自在性を持たせているが、マウントは高すぎると各足指に痺れを発生させ、低い場合ストッパー効果は半減するため成型形は避け、遊離性のある形で固定せず本体と同じ素材を採用している。
尚、中核に使ったハニカムコア・メッシュシートで旺盛な空気の流れとともに、汗と湿気をスムースにソールの除湿シートに集約させる事に成功した。
除湿シートは湿気や汗を溜めながら乾燥のための蒸発作用を起動、足の動きの際発生する上下動が排気ポンプの役目を果たし、空気が流通するのに合わせてシート自体を乾燥させる。
このシステムで、中敷を製品化したものは現存しない。
【図１】
2016059782.tif 000003
【図２】
2016059782.tif 000004
【図３】
2016059782.tif 000005
【図４】
2016059782.tif 000006